(57)【要約】      （修正有）【課題】車両窓部のガラス面に装着された状態で回路基板の取り外し作業に支障をきたす虞がない車載用電子機器を提供する。【解決手段】車載用電子機器１０は、前置増幅回路等が設けられた回路基板１と、回路基板１を収納する保持ケース４とを備えている。保持ケース４は、アンテナ放射導体が配設されたガラス面２０に固着される下ケース６と、下ケース６を覆うように着脱可能に取り付けられる上ケース７とを組み合わせて構成され、下ケース６に保持された接続端子５を上ケース７に保持された回路基板１の電極９に圧接させる。上ケース７を下ケース６から取り外す際には、せり出し部７ｂの先端を基端側へ押し込んで弾性片７ａを撓めることにより、あるいは、ドライバー等の治具を舌片６ｂと弾性片７ａとの間に差し込むことにより、スナップ爪７ｃを舌片６ｂの係止穴６ｃから離脱させる。【選択図】図４
2013063682.tif 000002
【特許請求の範囲】
【請求項１】
回路基板を収納する略直方体形状の保持ケースが、車両窓部のガラス面に固着される下ケースと、この下ケースを覆うように着脱可能に取り付けられる上ケースとを組み合わせて構成されており、前記回路基板に設けられた電子回路が前記ガラス面に配設されたアンテナ放射導体と電気的に接続されるようになっている車載用電子機器において、
前記上ケースの長手方向の一端部に、長手方向の他端側へ押し撓めることが可能な弾性片と、この弾性片の一部を長手方向の一端側へ突出させてなるスナップ爪と、前記弾性片の先端から長手方向の一端側へ延出するせり出し部と、このせり出し部の基端付近を切り欠いてなる切欠き部とを設けると共に、前記下ケースの長手方向の一端部に係止穴を有する舌片を設け、この舌片と前記弾性片とが対向する箇所が前記切欠き部に臨出するようになし、前記スナップ爪を前記係止穴に係脱させることによって前記上ケースが前記下ケースに着脱されるようにしたことを特徴とする車載用電子機器。
【請求項２】
請求項１の記載において、前記回路基板が前記上ケースに保持されていると共に、前記下ケースにばね性を有する接続端子が保持されており、この接続端子の一端部を前記回路基板の底面に設けられた第１の電極に圧接させると共に、前記接続端子の他端部を前記ガラス面に設けられた第２の電極に圧接させることにより、前記接続端子が前記上ケースを前記ガラス面から離隔する向きに弾性付勢するようにしたことを特徴とする車載用電子機器。
【請求項３】
請求項１または２の記載において、前記下ケースの長手方向の一端部に存する側板の一部を前記舌片となし、この舌片の幅方向両側縁に沿って切れ込みが形成されていることを特徴とする車載用電子機器。
【請求項４】
請求項１〜３のいずれか１項の記載において、前記上ケースの長手方向の他端部で幅方向に相対向する位置に一対の係合突起が設けられていると共に、前記下ケースの長手方向の他端部で幅方向に相対向する位置に、それぞれの先端付近にテーパ状の肉厚部を有する一対の柱状部が立設されており、一対の前記係合突起で一対の前記柱状部を外側へ押し撓めることによって、前記各係合突起が対応する前記肉厚部に係止可能であることを特徴とする車載用電子機器。
【発明の詳細な説明】
【技術分野】
【０００１】
本発明は、アンテナ放射導体が配設された車両窓部のガラス面に装着して使用される車載用電子機器に係り、特に、アンテナ放射導体と接続される前置増幅回路等が設けられた回路基板を保持ケース内に収納している車載用電子機器のケース構造に関する。
【背景技術】
【０００２】
従来より、車両窓部（例えばリアウィンドウ）のガラス面をアンテナ放射導体の配置スペースとして利用するという手法が広く知られており、こうした手法は、テレビ放送の地上デジタル放送への切り替わりに伴って一般化しつつある。
【０００３】
ところで、地上デジタル放送等の信号波はアンテナ放射導体が受信した信号を速やかに増幅する必要があり、こうすることで受信信号の減衰を極力抑制して良好な受信感度が得られるようになる。そのため、車両窓部のガラス面にアンテナ放射導体が配設されているアンテナ装置においては、通常、前置増幅回路が設けられた回路基板を内蔵してなる電子機器を、アンテナ放射導体に近接させて同じガラス面に装着し、前置増幅回路を経由して外来信号が受信回路等へ送られるようになっている。
【０００４】
すなわち、この種の電子機器には、前置増幅回路を含む電子回路が設けられてコネクタを搭載した回路基板や、車両窓部のガラス面に固着されて回路基板が載置固定される取付ベースや、電子回路の給電電極および接地電極をアンテナ放射導体の一対の給電部と電気的に接続するための接続端子等が具備されている。そして、この種の電子機器で増幅処理された外来信号を、コネクタに繋いだ信号ケーブルを介して車両の別の場所に設置されている受信回路等へ送ることによって、車内の表示装置でテレビ放送等の視聴が行えるようになっている。
【０００５】
このように車両窓部のガラス面に装着して使用される電子機器においては、その回路基板がガラス面から取り外せるようになっていると、電子回路の調整や部品交換等を効率良く行うことができるため、ガラス面に装着した後にも修理やメンテナンスが行いやすくなって便利である。そこで従来、インサートナットを付設した取付ベースを車両窓部のガラス面に接着固定し、回路基板に貫通せしめた取付ねじを該インサートナットに螺着させることによって、取付ベース上に回路基板を締結固定して両者間に一対の接続端子を挟持できるようにした車載用電子機器が提案されている（例えば、特許文献１参照）。かかる従来の車載用電子機器では、取付ねじの締結を解除することによって、ガラス面に固着されている取付ベースから回路基板を取り外すことができる。
【先行技術文献】
【特許文献】
【０００６】
【特許文献１】特開２０１０−１３２２１６号公報
【発明の概要】
【発明が解決しようとする課題】
【０００７】
しかしながら、上記した従来例のように、回路基板が取付ねじによって取付ベースに締結固定されている車載用電子機器においては、車両窓部のガラス面に対する電子機器の装着位置が取付ねじの締結解除作業に不向きな場合、回路基板の取り外し作業を円滑に行えなくなるという問題があった。すなわち、この種の電子機器の取付ベースは、一般的に車両窓部のガラス面の縁部に固着されるようになっているが、取付ねじの頭部近傍の車内レイアウトに制約されて、スクリュードライバ等の治具を用いた取付ねじの締結解除に必要な作業空間を確保できないことがあった。また、こうした事態を回避するために車両窓部のガラス面に対する電子機器の装着位置に一定の制限を課すと、その影響でアンテナ放射導体の配設位置が制約されてしまうという問題があった。
【０００８】
本発明は、このような従来技術の実情に鑑みてなされたもので、その目的は、車両窓部のガラス面に装着された状態で回路基板の取り外し作業に支障をきたす虞がない車載用電子機器を提供することにある。
【課題を解決するための手段】
【０００９】
上記の目的を達成するために、本発明は、回路基板を収納する略直方体形状の保持ケースが、車両窓部のガラス面に固着される下ケースと、この下ケースを覆うように着脱可能に取り付けられる上ケースとを組み合わせて構成されており、前記回路基板に設けられた電子回路が前記ガラス面に配設されたアンテナ放射導体と電気的に接続されるようになっている車載用電子機器において、前記上ケースの長手方向の一端部に、長手方向の他端側へ押し撓めることが可能な弾性片と、この弾性片の一部を長手方向の一端側へ突出させてなるスナップ爪と、前記弾性片の先端から長手方向の一端側へ延出するせり出し部と、このせり出し部の基端付近を切り欠いてなる切欠き部とを設けると共に、前記下ケースの長手方向の一端部に係止穴を有する舌片を設け、この舌片と前記弾性片とが対向する箇所が前記切欠き部に臨出するようになし、前記スナップ爪を前記係止穴に係脱させることによって前記上ケースが前記下ケースに着脱されるようにした。
【００１０】
このように構成された車載用電子機器では、上ケースのせり出し部の先端を手指等で基端側へ押し込むことで弾性片が撓むため、弾性片に突設されたスナップ爪を下ケースの舌片の係止穴から離脱させることができ、これにより上ケースを下ケースから取り外すことが可能となる。また、せり出し部の基端付近の切欠き部に挿入したドライバー等の治具を車両窓部のガラス面へ向けて押し込んだ場合にも、この治具を舌片と弾性片との間に差し込んで両者を互いに離反する向きに押し撓めることができるため、やはりスナップ爪を係止穴から離脱させて上ケースを下ケースから取り外すことが可能となる。すなわち、車両窓部のガラス面に固着されている下ケースから上ケースを取り外す作業が、保持ケースの横方向からも上方向からも容易に行えるため、この車載用電子機器はガラス面のどこに装着されていても回路基板の取り外し作業に支障をきたす虞がない。
【００１１】
上記の構成において、回路基板が上ケースに保持されていると共に、下ケースにばね性を有する接続端子が保持されており、この接続端子の一端部を回路基板の底面に設けられた第１の電極に圧接させると共に、接続端子の他端部をガラス面に設けられた第２の電極に圧接させることにより、接続端子が上ケースをガラス面から離隔する向きに弾性付勢するようにしてあると、上ケースのスナップ爪を下ケースの係止穴から離脱させたときに、接続端子からの弾発力で回路基板と上ケースを若干押し上げる（浮かす）ことができる。その結果、回路基板と上ケースを下ケースから取り外す作業が非常に行いやすくなる。
【００１２】
また、上記の構成において、下ケースの長手方向の一端部に存する側板の一部を前記舌片となし、この舌片の幅方向両側縁に沿って切れ込みが形成されていると、下ケースの高さ寸法を抑えつつ舌片に所要の可撓性を付与することができて好ましい。
【００１３】
また、上記の構成において、上ケースの長手方向の他端部で幅方向に相対向する位置に一対の係合突起が設けられていると共に、下ケースの長手方向の他端部で幅方向に相対向する位置に、それぞれの先端付近にテーパ状の肉厚部を有する一対の柱状部が立設されており、一対の係合突起で一対の柱状部を外側へ押し撓めることによって、各係合突起が対応する肉厚部に係止可能であると、上ケースを下ケースに取り付ける際に、長手方向の一端部でスナップ爪を係止穴にスナップ止めできるだけでなく、長手方向の他端部で一対の係合突起を対応する肉厚部にスナップ止めできるようになる。そのため、下ケースの真上から上ケースを押し込むだけで、この上ケースを容易かつ確実に下ケースに取り付けることが可能となり、取り付け時の作業効率が大幅に向上する。
【発明の効果】
【００１４】
本発明の車載用電子機器は、弾性片に突設されたスナップ爪を舌片の係止穴から離脱させて上ケースを下ケースから取り外す際に、上ケースのせり出し部の先端を手指等で基端側へ押し込んで弾性片を押し撓めても良いし、あるいは、上ケースの切欠き部に挿入したドライバー等の治具を舌片と弾性片との間に差し込んで両片を互いに離反する向きに押し撓めても良い。すなわち、車両窓部のガラス面に固着されている下ケースから上ケースを取り外す作業が横方向からも上方向からも容易に行えるため、車載用電子機器がガラス面のどこに装着されていても回路基板の取り外し作業に支障をきたす虞がない。それゆえ、この車載用電子機器は、回路基板に設けられている電子回路の調整や部品交換等が行いやすくて修理やメンテナンスに好適であり、しかも、アンテナ放射導体の配設位置を制約する虞がないという優れた効果を奏する。
【図面の簡単な説明】
【００１５】
【図１】本発明の実施形態例に係る車載用電子機器を車両窓部のガラス面に装着した状態を示す斜視図である。
【図２】該車載用電子機器の分解斜視図である。
【図３】該車載用電子機器の平面図である。
【図４】図３のＡ−Ａ線に沿う断面図である。
【図５】図４の要部拡大図である。
【図６】該車載用電子機器のコネクタ近傍を示す断面図である。
【図７】該車載用電子機器の上ケースを下ケースから取り外す直前の状態を示す斜視図である。
【図８】該車載用電子機器の上ケースを下ケースに取り付ける直前の状態を示す斜視図である。
【発明を実施するための形態】
【００１６】
以下、発明の実施の形態について図面を参照しながら説明する。図１に示すように、本発明の実施形態例に係る車載用電子機器１０は、車両窓部（例えばリアウィンドウ）のガラス面２０に装着して使用される。図２に示すように、このガラス面２０にはアンテナ放射導体３０が配設されており、アンテナ放射導体３０で受信された外来信号が車載用電子機器１０で増幅されてから図示せぬ受信回路へ送られるようになっている。
【００１７】
車載用電子機器１０は、アンテナ放射導体３０と電気的に接続される図示せぬ電子回路が設けられた回路基板１と、この回路基板１に搭載された外部接続用のコネクタ２と、回路基板１に一体化されて前記電子回路を電磁的にシールドするシールドケース３と、これら回路基板１およびシールドケース３を収納する略直方体形状の保持ケース４と、前記電子回路の一対の電極９（図４参照）をアンテナ放射導体３０の一対の給電部３１に接続するための一対の接続端子５とによって主に構成されており、保持ケース４は下ケース６と上ケース７とを組み合わせて構成されている。下ケース６は両面接着テープ８によってガラス面２０に固着されており、一対の接続端子５は下ケース６に保持されている。一方、上ケース７は下ケース６を覆うように着脱可能に取り付けられており、図７や図８に示すように、回路基板１およびシールドケース３は上ケース７に組み付けられている。
【００１８】
次に、保持ケース４の構造について詳しく説明する。上ケース７の長手方向の一端部（図３や図４の右端部）には、側面視略Ｕ字状の弾性片７ａと、この弾性片７ａの上部先端から長手方向の一端側へ延出するせり出し部７ｂとが設けられおり、弾性片７ａの先端寄りの一部は一端側へ突出するスナップ爪７ｃとして形成されている。せり出し部７ｂには弾性片７ａと連続する基端付近に切欠き部７ｄが穿設されており、この切欠き部７ｄは平面視矩形状に形成されている。また、上ケース７の天板は長手方向の他端部が大きく切り欠かれており、この切り欠かれた部分を介して相対向する一対の側板にそれぞれ係合突起７ｅが突設されている（図２参照）。この上ケース７は、スナップ爪７ｃを後述する係止穴６ｃに係脱させることによって、下ケース６に着脱できるようになっている。
【００１９】
下ケース６は、その長手方向の一端部（図３や図４の右端部）に存する側板６ａの一部を舌片６ｂとなしており、この舌片６ｂに上ケース７のスナップ爪７ｃを係止可能な係止穴６ｃが穿設されている（図２参照）。舌片６ｂは上ケース７の弾性片７ａと対向するように配置され、舌片６ｂと弾性片７ａとが対向する箇所が上ケース７の切欠き部７ｄに臨出している（図５参照）。側板６ａには舌片６ｂの幅方向両側縁に沿って切れ込み６ｄが形成されており、これら切れ込み６ｄの存在によってこの舌片６ｂの可撓性が高められている。また、下ケース６の長手方向の他端部において、幅方向で相対向する一対の側板にはそれぞれ柱状部６ｆが立設されており、これら柱状部６ｆの先端付近にはテーパ状の肉厚部６ｅが形成されている。そして、下ケース６に上ケース７を取り付ける際に、一対の係合突起７ｅで一対の柱状部６ｆを幅方向外側へ押し撓めると、各係合突起７ｅが対応する肉厚部６ｅに係止（スナップ止め）できるようになっている。
【００２０】
なお、下ケース６は、切れ込み６ｄを省略して舌片６ｂを側板６ａ上に突出させる構成であっても良いが、舌片６ｂの幅方向両側縁に沿って切れ込み６ｄが設けてあると、下ケース６の高さ寸法を抑えつつ舌片６ｂに所要の可撓性を付与することができて好ましい。
【００２１】
回路基板１に設けられている前記電子回路には前置増幅回路が含まれており、アンテナ放射導体３０が受信した外来信号を、この前置増幅回路で増幅してからコネクタ２経由で前記受信回路へ送ることによって、良好な受信感度が得られるようになっている。回路基板１には、シールドケース３の取付脚３ａを嵌入させるための嵌合凹部１ａや、シールドケース３の切れ込み部３ｂを外嵌させるための嵌合凸部１ｂや、コネクタ２を取り付けるための取付孔１ｃ等が設けられている。また、この回路基板１の底面には、前述した一対の電極９（給電電極および接地電極）が設けられている（図４参照）。
【００２２】
接続端子５はリン青銅等のばね性に富んだ金属板からなり、第１接触片５ａと第２接触片５ｂを有している。これら第１接触片５ａと第２接触片５ｂは斜め上方と斜め下方へそれぞれ突出するようにフォーミングされており、両接触片５ａ，５ｂの基端どうしを繋いでいる中間支持部５ｃが下ケース６に保持されている（図４参照）。そして、下ケース６をガラス面２０に固着すると、一対の接続端子５の第２接触片５ｂがアンテナ放射導体３０の一対の給電部３１に圧接されるようになっている。また、下ケース６に上ケース７を取り付けると、回路基板１の底面に設けられている一対の電極９（給電電極および接地電極）に、一対の接続端子５の第１接触片５ａが圧接されるようになっている。これにより、給電部３１と電極９とが接続端子５を介して電気的に接続された状態となる。また、下ケース６に取り付けられた上ケース７には、接続端子５からの弾発力が回路基板１を介して作用するため、この上ケース７はガラス面２０から離隔する向きに常時付勢されている。なお、接続端子５の第２接触片５ｂを給電部３１に半田付けして接続強度を高めるようにしても良い。
【００２３】
このように構成された車載用電子機器１０は、ガラス面２０に固着した下ケース６に対して上ケース７が着脱可能なため、ガラス面２０に装着した後にも、上ケース７に組み付けられた回路基板１をガラス面２０から取り外して前記電子回路の修理やメンテナンス等を効率良く行うことができる。
【００２４】
上ケース７を下ケース６から取り外す際には、図５の矢印Ｆで示すように、上ケース７のせり出し部７ｂの先端を作業者の手指等で基端側へ押し込んで弾性片７ａを撓めることによって、スナップ爪７ｃを舌片６ｂの係止穴６ｃから離脱させることができる。こうしてスナップ爪７ｃが係止穴６ｃから外れると、接続端子５の弾発力によって回路基板１が押し上げられるため、回路基板１を保持している上ケース７は長手方向の一端部が若干浮いた状態になる。したがって、図７に示すように、斜めに傾いた上ケース７の長手方向の一端部を持ち上げて、この上ケース７をそのまま斜め上方へスライド移動することにより、一対の係合突起７ｅを対応する肉厚部６ｅの下側から抜き取って、上ケース７を下ケース６から簡単に取り外すことができる。
【００２５】
このほか、図５の２点鎖線で示すように、マイナスドライバー等の治具２５を上ケース７の切欠き部７ｄに挿入してガラス面２０へ向けて押し込むという取り外し方法も可能である。すなわち、治具２５を弾性片７ａと舌片６ｂとの間に差し込むと、両者７ａ，６ｂを互いに離反する向きに押し撓めることができるため、スナップ爪７ｃを係止穴６ｃから離脱させることができる。この場合も、スナップ爪７ｃが係止穴６ｃから外れると、接続端子５の弾発力によって回路基板１が押し上げられるため、上ケース７は長手方向の一端部が若干浮いた状態になって下ケース６から簡単に取り外すことができる。
【００２６】
なお、上ケース７を下ケース６に取り付ける際には、図８に示すように、上ケース７を下ケース６に対して真上から押し込めば良い。こうすると、一対の係合突起７ｅが対応する肉厚部６ｅのテーパ面６ｅ１（図６参照）と係合して一対の柱状部６ｆを押し開くように撓めるため、各係合突起７ｅを対応する肉厚部６ｅにスナップ止めすることができる。また、弾性片７ａを舌片６ｂの内側に挿入することによって、両者７ａ，６ｂを押し撓めながらスナップ爪７ｃを係止穴６ｃにスナップ止めすることができる。このように下ケース６の真上に配置させた上ケース７を押し込むだけで長手方向の両端部がスナップ止めできるため、上ケース７を簡単かつ確実に下ケース６に取り付けることができる。ただし、図７に示すように、上ケース７を斜めに傾けて各係合突起７ｅを対応する肉厚部６ｅの下側に挿入してから、弾性片７ａを舌片６ｂの内側に挿入してスナップ爪７ｃを係止穴６ｃにスナップ止めするようにしても、上ケース７を下ケース６に簡単かつ確実に取り付けることができる。
【００２７】
以上説明したように、本実施形態例に係る車載用電子機器１０は、車両窓部のガラス面２０に装着したままの状態で、上ケース７のせり出し部７ｂの先端を作業者の手指等で基端側へ押し込んで弾性片７ａを撓めることによって、弾性片７ａに突設されたスナップ爪７ｃを舌片６ｂの係止穴６ｃから離脱させることができるため、保持ケース４を構成する上ケース７を下ケース６から簡単に取り外すことができる。また、せり出し部７ｂの基端付近の切欠き部７ｄに挿入したマイナスドライバー等の治具２５を車両窓部のガラス面２０へ向けて押し込んだ場合にも、この治具２５を舌片６ｂと弾性片７ａとの間に差し込んで両者６ｂ，７ａを互いに離反する向きに押し撓めることができるため、やはりスナップ爪７ｃを係止穴６ｃから離脱させて上ケース７を下ケース６から簡単に取り外すことができる。すなわち、車両窓部のガラス面２０に固着されている下ケース６から上ケース７を取り外す作業が、保持ケース４の横方向からも上方向からも容易に行えるため、この車載用電子機器１０はガラス面２０のどこに装着されていても回路基板１の取り外し作業に支障をきたす虞がない。それゆえ、この車載用電子機器１０は、回路基板１に設けられている電子回路の調整や部品交換等が行いやすくて修理やメンテナンスに好適であり、しかも、車両窓部のガラス面２０の所望位置に装着できるため、アンテナ放射導体３０の配設位置を制約する虞がない。
【００２８】
また、本実施形態例に係る車載用電子機器１０では、下ケース６に保持された接続端子５の第２接触片５ｂが、車両窓部のガラス面２０に設けられたアンテナ放射導体３０の給電部３１に圧接していると共に、この接続端子５の第１接触片５ａが回路基板１の底面に設けられた電極９に圧接している。そして、この回路基板１が上ケース７に組み付けられているため、接続端子５が上ケース７をガラス面２０から離隔する向きに弾性付勢する構成になっている。したがって、上ケース７のスナップ爪７ｃを下ケース６の係止穴６ｃから離脱させたときに、接続端子５の弾発力によって回路基板１と上ケース７を若干押し上げる（浮かす）ことができ、そのため回路基板１と上ケース７を下ケース６から取り外す作業が非常に行いやすい。
【００２９】
また、この車載用電子機器１０の保持ケース４には、弾性片７ａや舌片６ｂ等が設けられている長手方向の一端部と反対側の端部に、係合突起７ｅ（上ケース７）とテーパ状の肉厚部６ｅを有する柱状部６ｆ（下ケース６）とが設けられており、一対の係合突起７ｅで一対の柱状部６ｆを外側へ押し撓めることによって、各係合突起７ｅが対応する肉厚部６ｅに係止できるようになっている。つまり、上ケース７を下ケース６に取り付ける際に、両者６，７の長手方向の一端部でスナップ爪７ｃを係止穴６ｃにスナップ止めできるだけでなく、長手方向の他端部で一対の係合突起７ｅを対応する肉厚部６ｅにスナップ止めできるようになっている。そのため、下ケース６の真上から上ケース７を押し込むだけで、この上ケース７を容易かつ確実に下ケース６に取り付けることができ、取付作業が非常に簡便に行える。
【００３０】
なお、この車載用電子機器１０では、コネクタ２と干渉する虞のない保持ケース４の隅部に係合突起７ｅ（上ケース７）や柱状部６ｆ（下ケース６）が設けてあり、かつ、コネクタ２と干渉する虞のない保持ケース４の長手方向の一端部に弾性片７ａやせり出し部７ｂ（上ケース７）や舌片６ｂ（下ケース６）が設けてあるため、保持ケース４の設計や製造は容易である。
【符号の説明】
【００３１】
１  回路基板
２  コネクタ
３  シールドケース
４  保持ケース
５  接続端子
５ａ  第１接触片
５ｂ  第２接触片
６  下ケース
６ａ  側板
６ｂ  舌片
６ｃ  係止穴
６ｄ  切れ込み
６ｅ  肉厚部
６ｆ  柱状部
７  上ケース
７ａ  弾性片
７ｂ  せり出し部
７ｃ  スナップ爪
７ｄ  切欠き部
７ｅ  係合突起
８  両面接着テープ８
９  電極（第１の電極）
１０  車載用電子機器
２０  ガラス面
２５  簡易治具
３０  アンテナ放射導体
３１  給電部（第２の電極）
【図１】
2013063682.tif 000003
【図２】
2013063682.tif 000004
【図３】
2013063682.tif 000005
【図４】
2013063682.tif 000006
【図５】
2013063682.tif 000007
【図６】
2013063682.tif 000008
【図７】
2013063682.tif 000009
【図８】
2013063682.tif 000010